(57)【要約】【課題】電子レンジでインスタント麺を調理した場合に、麺全体に水分を行き渡らせることが可能で、湯切りも簡単に行うことが出来る電子レンジ用容器およびその使用方法を提供することを目的とする。【解決手段】外容器、上記外容器の内側に入れる内容器、および蓋からなる電子レンジ用容器であって、上記蓋に容器内に入れた麺を上から押さえて上記麺の浮き上がりを防止するための押さえ部を設け、上記内容器の底面に、湯切りのための複数の孔を設け、上記蓋を上記外容器に着脱可能に固定する。【選択図】  図１
2009179325.tif 000002
【特許請求の範囲】
【請求項１】
外容器、上記外容器の内側に入れる内容器、および蓋からなる電子レンジ用容器であって、
上記蓋に容器内に入れた麺を上から押さえて上記麺の浮き上がりを防止するための押さえ部を設け、
上記内容器の底面に、湯切りのための複数の孔を設け、
上記蓋を上記外容器に着脱可能に固定したことを特徴とする電子レンジ用容器。
【請求項２】
上記内容器の底の中央部を盛り上げて、上記外容器の底と上記内容器の底との間に空隙を設けたことを特徴とする請求項１に記載の電子レンジ用容器。
【発明の詳細な説明】
【技術分野】
【０００１】
本発明は、電子レンジでインスタントの麺類を調理するための電子レンジ用容器に関する。
【背景技術】
【０００２】
インスタントの焼きそばやパスタ等、お湯を注いで麺をほぐして調理を行うものが多数販売されている。これらの麺類は、袋詰め、あるいは専用の容器に入れた状態で販売されており、その手軽さから、広く普及している。
【０００３】
また、電子レンジの普及に伴い、インスタント麺類の調理方法として、お湯を注ぐのではなく、水を注いで電子レンジで加熱して調理するための容器も用いられている。特に、焼きそばやパスタ等の場合には湯切りが必要となるが、簡単に湯切り可能な容器も従来技術として用いられている（特許文献１を参照）。
【特許文献１】特開２００６−３４６６５号公報
【発明の開示】
【発明が解決しようとする課題】
【０００４】
しかし、電子レンジでインスタントの麺類を調理する際に、従来の電子レンジ用の容器を用いると、水と麺を容器に入れると麺が浮き上がり、電子レンジの加熱によって麺の上側が電子レンジの加熱により乾燥してしまい、麺の下側だけが水分を吸収するので、麺全体が十分に水分を吸収できないという問題を引き起こす。
【０００５】
そこで、本発明は上記問題を解決するために、電子レンジでインスタントの麺類を調理した場合に、麺全体に水分を行き渡らせることが可能で、湯切りも簡単に行うことが出来る電子レンジ用容器およびその使用方法を提供することを目的とする。
【課題を解決するための手段】
【０００６】
本発明の電子レンジ用容器は、外容器、上記外容器の内側に入れる内容器、および蓋からなる電子レンジ用容器であって、上記蓋に容器内に入れた麺を上から押さえて上記麺の浮き上がりを防止するための押さえ部を設け、上記内容器の底面に、湯切りのための複数の孔を設け、上記蓋を上記外容器に着脱可能に固定したことを特徴とする
【０００７】
そして、上記内容器の底の中央部を盛り上げて、上記外容器の底と上記内容器の底との間に空隙を設けることが好ましい。
【発明の効果】
【０００８】
本発明の電子レンジ用容器は、外容器、上記外容器の内側に入れる内容器、および蓋からなる電子レンジ用容器であって、上記蓋に容器内に入れた麺を上から押さえて上記麺の浮き上がりを防止するための押さえ部を設け、上記内容器の底面に、湯切りのための複数の孔を設け、上記蓋を上記外容器に着脱可能に固定したことにより、麺の全体に均一に水分を含ませることが可能となり、麺の食感をよりよくする事が出来る。
【０００９】
そして、上記内容器の底の中央部を盛り上げて、上記外容器の底と上記内容器の底との間に空隙を設けることにより、水が沸騰した時に麺の下側に対流が生じ、麺を解す効果が生じ、より効果的に麺を調理することが可能となる。
【発明を実施するための最良の形態】
【００１０】
本発明を、図を用いて以下に詳細に説明する。図１が本発明の電子レンジ用容器１の断面図であり、図３が各パーツ単独の断面図である。
【００１１】
本発明の電子レンジ用容器１は、インスタントの麺類（焼きそばパスタ等）を電子レンジで調理するための容器であって、図１に示すように、外容器２と、上記外容器２の内側に入れる内容器３と、蓋４から構成される。
【００１２】
上記蓋４には、電子レンジ用容器１内に入れた麺７を上から押さえて調理中上記麺７の浮き上がりを防止するための押さえ部として押さえリブ５を設ける。そして上記蓋４は上記外容器２に着脱可能に固定できる構造とする。
【００１３】
上記押さえリブ５の形状は、上記麺７を上から押さえることのできる大きさであれば特に限定するものではなく、円筒、矩形等の形状で、本発明の電子レンジ用容器１に麺７を入れて上記蓋４を上記外容器２に固定した時に、上記リブ５が上記麺７の上方で多少の間隔をおいて位置する程度の高さを有していればよい。
【００１４】
このような押さえリブ５を設けることにより、上記電子レンジ用容器１に水と麺７を入れた時に、上記麺７が水面上に浮き上がるのを防止することが可能となる。
【００１５】
上記内容器３の底には、図２に示すような湯切りを行うための複数の孔６を設けザル状にする。さらに上記容器３の底の中央部を盛り上がった形状とする。
【００１６】
上記湯切り用の孔６を設けることにより、上記内容器３に麺７を入れたまま取り出して湯切りを行うことが可能となる。
【００１７】
また、上記外容器２と上記蓋４の固定手段については、幾つかの構造が用いることが出来る。まず初めに、上記蓋４を回転させて上記外容器２に固定する固定手段について説明する。
【００１８】
上記外容器２の外周部上方に、図５に示すような外周を一周し、さらに２箇所でＬ字状となるリブ８を設ける。また、上記蓋４の内周部にも図１に示すようなリブ９を設ける。上記リブ８に囲まれた所に上記蓋４を少し回転させることにより上記リブ９を嵌め込んで固定する。このような固定手段を用いることにより、上記蓋４の押さえリブ５によって麺７を確実に押さえることが可能となる。
【００１９】
また、別固定手段としてアンダーカット１０を用いることも可能である。図６に示すように、上記蓋４の縁に、アンダーカット１０を設け、上記外容器２の縁には、上記アンダーカット１０を挿入するための孔１１を設ける。上記アンダーカット１０は途中に膨らみが設けられた形状となっているので、上記アンダーカット１０を上記孔１１に挿入すると、上記膨らみによって、上記アンダーカット１０が上記孔１１から簡単に抜けるのが防止され、上記蓋４が上記外容器２に着脱可能に固定される。
【００２０】
上記蓋４を上述のような固定手段を用いて固定する際に、上記内容器３も同時に固定する構造とすることも可能である。図４に示すように、上記蓋４の外周につば１２、上記内容器３の外周につば１３、上記外容器２の外周につば１４を設ける。上記内容器３を上記外容器２の内側に入れた時、上記つば１３を上記外容器２のつば１４の上に重ねる。
【００２１】
そして、上記蓋４で蓋をして上記外容器２に固定する時に、上記蓋４に設けたつば１３が上記内容器３のつば１０に重なるようにする。これにより、上記内容器３のつば１３が上記外容器２のつば１４と上記蓋４のつば１２に挟まれ固定される。このようにすると上記内容器３のガタツキが抑えられ使い勝手が向上する。
【００２２】
本発明の電子レンジ用容器１の材質については、特に限定するものではないが、電子レンジで使用するために、耐熱ＰＰを用いることが好ましい。また、本発明の電子レンジ用容器１は、繰り返し使用することもできるので、上述のような耐熱性を有するだけでなく所定の耐久性を有する材質を用いることが好ましい。また、平面形状については、特に限定するものではなく、円形や矩形とすることができる。
【００２３】
本発明の電子レンジ用容器１の使用方法について図７，８を用いて説明する。まずは、外容器２の内側に内容器３をセットする。そして、上記内容器３の底に麺７を置き、電子レンジ用容器１に水を入れる（図７（ａ）参照）。
【００２４】
麺７と水を入れたら蓋４を上記外容器２に固定する。この時、上記麺７は水を入れたことにより浮き上がろうとするが、図７（ｂ）に示すように、上記蓋４に設けた押さえ用リブ５によって上から押さえられ、浮き上がりを防止されている。この状態で、電子レンジに電子レンジ用容器１を入れ所定の温度で所定の時間加熱する。
【００２５】
このとき、図に示すように上記内容器３の底が盛り上がっているので、上記内容器３の底と上記外容器２の底の間に空隙が生じている。そのため、電子レンジ用容器１内の水が沸騰すると対流が生じ、その対流が上記空隙を通って麺７を下から押し上げるように作用するので、上記麺７に満遍なく水分が吸収され、より食感のよい仕上がりとなる。
【００２６】
電子レンジによる加熱が完了したら、電子レンジから上記電子レンジ用容器１を取り出す。そして、次に上記麺７の湯切りを行う。そのためにまずは蓋４を外容器２から取り外し、次に上記麺７が載った状態の内容器３を外容器３から取り出して、図８（ａ）に示すように、上記内容器３の湯切り用の孔６を利用して湯切りを行う。
【００２７】
そして、上記外容器２に湯切りした麺７を入れるために、上記外容器２の湯を捨てる。図８（ｂ）に示すように、空になった外容器２に上記麺７を入れ、ソース１５およびかやく１６を上記麺７に振り掛けると、インスタント麺７の調理が完了する。
【００２８】
ここでは、上記外容器２を器として使用したが、湯切り後に別の皿等に麺７を移して、ソースやかやくを振り掛けて調理することも可能である。
【００２９】
焼きそば等の湯切りが必要な麺類を調理する場合についてここまで説明してきたが、ラーメンのような湯切りが不要な麺類にも本発明の電子レンジ用容器１は使用可能である。
【００３０】
例えば、ラーメンの場合は、電子レンジでの加熱が終わった後に、上記内容器３を取り出し、上記外容器２の上で軽く湯切りした後、上記内容器３に残った麺７をお湯の入った上記外容器２に入れ、その後、かやくやスープ等を上記外容器２に入れるとインスタント麺７の調理が完了する。
【００３１】
このような湯切りが不要な麺類の場合、内容器３を用いないで外容器２と蓋４だけを用いることも可能である。
【００３２】
このように本発明の電子レンジ用容器１は様々な麺類の調理を電子レンジで行う場合、より効果的に麺に水分を吸収させることが可能となり、より食感の良い麺を得ることができる。
【図面の簡単な説明】
【００３３】
【図１】本発明の電子レンジ用容器の断面図である。
【図２】内容器の平面図である。
【図３】電子レンジ用容器の各パーツを取り外した状態を示す断面図であり、（ａ）が蓋の断面図、（ｂ）が内容器の断面図、（ｃ）が外容器の断面図である。
【図４】電子レンジ用容器をつばを含む断面で切った断面図である。
【図５】外容器の側面図である。
【図６】外容器と蓋の固定手段の拡大断面図であり、アンダーカットを用いた場合の断面図である。
【図７】電子レンジ用容器の使用方法を示す断面図であり、（ａ）が電子レンジ用容器に麺と水を入れた状態を示す断面図、（ｂ）が容器に麺と水を入れ、蓋をした状態を示す断面図、（ｃ）が容器に麺と水を入れ、電子レンジで加熱した状態を示す断面図である。
【図８】電子レンジ用容器の使用方法を示す断面図であり、（ａ）内容器で湯切りを行っている状態を示す断面図、（ｂ）麺を外容器に移し、スープとかやくを入れている状態を示す断面図である。
【符号の説明】
【００３４】
１      電子レンジ用容器
２      外容器
３      内容器
４      蓋
５      押さえリブ
６      孔
７      麺
８      リブ
９      リブ
１０    アンダーカット
１１    孔
１２    つば
１３    つば
１４    つば
１５    ソース
１６    かやく
【図１】
2009179325.tif 000003
【図２】
2009179325.tif 000004
【図３ａ】
2009179325.tif 000005
【図３ｂ】
2009179325.tif 000006
【図３ｃ】
2009179325.tif 000007
【図４】
2009179325.tif 000008
【図５】
2009179325.tif 000009
【図６】
2009179325.tif 000010
【図７ａ】
2009179325.tif 000011
【図７ｂ】
2009179325.tif 000012
【図７ｃ】
2009179325.tif 000013
【図８ａ】
2009179325.tif 000014
【図８ｂ】
2009179325.tif 000015